【事件の表示】
　平成　８年特許願第　３６０７１号「撮像装置及び撮像方法」拒絶査定不服審判事件〔平成　９年　９月　５日出願公開、特開平　９−２３０４８９〕について、次のとおり審決する。
【結　論】
　本件審判の請求は、成り立たない。
【理　由】
１．手続きの経緯
　本願は、平成８年２月２３日の出願であって、平成１４年３月２６日付で拒絶査定がなされ、これに対し、同年４月２６日に拒絶査定に対する審判請求が成されるとともに、同年５月２４日付で手続補正がなされたものである。
　
２．平成１４年５月２４日付の手続補正（以下「本件補正」という。）についての補正却下の決定
［補正却下の決定の結論］平成１４年５月２４日付の手続補正を却下する。
［理由］本件補正により、特許請求の範囲の請求項１は、
「顔画像を含む画像を撮像する撮像手段と、この撮像手段により撮像した画像情報を記憶する記憶手段と、この記憶手段が記憶する画像情報から画像情報の横方向からの射影に基づき背景と頭頂部との境界の射影値の微分値にて頭頂部の位置を検出し、画像情報の縦方向の射影に基づき背景と両側頭部との境界の射影値の微分値にて両側頭部の位置を検出して顔画像の位置を検出する検出手段と、この検出により検出された顔画像の位置に基づいて顔画像が中心に位置し、かつ顔画像の周辺を含むように読み出す領域を設定する設定手段と、この設定手段にて設定された読み出す領域内の画像情報を前記記憶手段から読み出す読出手段とを有し、前記設定手段は、前記検出手段から検出された頭頂部の位置から予め定められた一定値だけ上の位置に上部ラインを設定し、この設定された上部ラインから予め定められた一定値だけ下の位置に下部ラインを設定し、更に前記検出手段により検出された両側頭部の位置から顔画像の横方向の中心を求め、この中心から予め定められた一定値だけ両側の位置にそれぞれ縦ラインを設定し、前記読出手段はこれら各ラインにて囲まれた範囲を前記読み出す領域として設定することを特徴とする撮像装置。」
と補正された。
　上記補正は、請求項１に記載した発明を特定するために必要な事項である「領域」について「読み出す」との限定を付加し、「一定値」について「予め定められた」との限定を付加し、「両側頭部の位置」について「検出手段により検出された」との限定を付加し、「中心」について「横方向の」との限定を付加するものであって、特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（特許法第１７条の２第５項において準用する同法第１２６条第４項の規定に適合するか）について以下に検討する。
　
（１）引用例
　原査定の拒絶理由に引用された特開平５−２６８５１３号公報（平成５年１０月１５日公開、以下「引用例」という。）には、次のことが記載されている。
（ａ）【請求項１】光学像を電気画像信号に変換する撮像ユニットと、該撮像ユニットで得られた画像信号を解析して、被写体の画面内での上下方向の位置を検出する上下位置検出手段と、前記撮像ユニットで得られた画像信号を解析して、被写体の画面内での左右方向の位置を検出する左右位置検出手段と、前記上下位置検出手段及び左右位置検出手段の検出結果に基づいて、被写体が画面内の所定位置に位置する画面を、前記撮像ユニットで得られた画像信号から電気的に切り出すフレーミング画像切出し手段と、を含んで構成されたことを特徴とする撮影装置。
【請求項５】前記フレーミング画像切出し手段及び左右方向フレーミング手段が、前記撮像ユニットで得られた画像信号を記憶したメモリからの読み出し位置又は前記撮像ユニットで得られた画像信号のメモリに対する書き込み位置をシフトさせることで、被写体が画面内の所期位置に位置する画面を電気的に切り出すことを特徴とする請求項１，２，３又は４のいずれかに記載の撮影装置。
【請求項８】前記撮像ユニットが光学像をカラー画像信号に変換するものであり、前記上下位置検出手段及び左右位置検出手段それぞれが、前記撮像ユニットから出力されるカラー画像信号から背景色を認識することで、被写体の上下方向及び左右方向の位置をそれぞれ検出することを特徴とする請求項１，２，３，４，５，６又は７のいずれかに記載の撮影装置（特許請求の範囲の請求項１，５，８）。
（ｂ）図18のフローチャートに従って、第２実施例におけるオートフレーミング制御の様子を詳細に説明する。まず、電源が投入されると（Ｓ31）、カメラ３のシャッタースイッチがＯＮされるのを待つ（Ｓ32）。そして、シャッタースイッチがＯＮされると、検出回路26（上下位置検出手段）では、ビデオカメラ３による撮影画像において、被写体の頭と画面の上端との間の距離ＨＶを検出する（Ｓ33）。
　ここで、頭部と画面上端との間隔ＨＶは大きくばらついてしまうが、第２実施例においては、前記ばらつきがあっても撮影範囲内に被写体が余裕を持って収まるような比較的広い撮影範囲を設定してある。具体的には、最終的な切出し画面のサイズＶＤ×ＨＤ画素（縦×横）に対して、ビデオカメラ３の画素数を縦横共に充分に大きく設定してあり、被写体は前記切出し画面サイズＶＤ×ＨＤ画素に適合する倍率で撮影されるようにしてある（第１１頁２０欄９行ないし２６行）。
（ｃ）画面上端から被写体の頭部までの距離ＨＶが検出されると、図17に示すように、予め設定された切出し画面上における画面上端から被写体の頭部までの距離ＶＬと、前記実際の撮像画面上での距離ＨＶとの偏差（ＨＶ−ＶＬ）を演算し、上下方向での読み出し開始位置のデータを得る（Ｓ34）。同時に、切出し画面の設定サイズＶＤ×ＨＤ（縦×横）に基づいて、（ＨＶ−ＶＬ）+ＶＤとして上下方向での読み出し終了位置のデータを得る。
　そして、前記上下方向での読み出し開始位置（上端画枠）及び読み出し終了位置（下端画枠）のデータをレジスタに書き込む（Ｓ35）。続いて、被写体を画面の略中央に位置させるための左右方向での画枠の設定を行う。まず、画面左端から被写体頭部の左端までの距離Ｌ及び頭部の幅ＨＷを検出回路27で検出する（Ｓ36，Ｓ37）。
　ここで、横幅ＨＤの切出し画面上で被写体が左右方向の略中央に位置する画像を、ビデオカメラ３の撮影画面上から切出すためには、左端からＬ−（ＨＤ−ＨＷ）／２だけ右側にシフトした位置から読み出しを行わせ、かかる読み出し開始位置から右方向に画素数ＨＤの点を読み出し終了位置とすれば良いことになり（Ｓ38）、かかる左右方向での読み出し開始位置及び読み出し終了位置のデータをレジスタに書き込む（Ｓ39）（第１１頁２０欄２７行ないし５０行）。
（ｄ）前記レジスタに書き込まれた上下方向及び左右方向の読み出し位置データは、プログラマブルカウンタ29に出力され、プログラマブルカウンタ29は、前記位読み出し位置データに基づいてフレーミング用画像メモリ30のメモリアドレスを指定することで、画面上端から頭部までの距離が一定距離ＶＬでかつ被写体が左右方向の略中央に位置するサイズＶＤ×ＨＤの切出し画面を画像メモリ30に記憶させる（Ｓ40）（第１２頁２１欄１行ないし８行）。
　
（２）対比
　本願補正発明と引用例に記載された発明（以下「引用発明」という。）とを対比すると次のことが認められる。
（イ）両者はいずれも、撮像装置を対象とするものであり、引用例の前掲記載（ａ）、（ｂ）によれば、引用発明も、本願補正発明と同様に、顔画像を含む画像を撮像する撮像手段（引用発明でいう撮像ユニット）、この撮像手段により撮像した画像情報を記憶する記憶手段（引用発明でいう撮像ユニットで得られた画像信号を記憶したメモリ）を有していることは明らかである。
（ロ）引用例の前掲記載（ａ）ないし（ｄ）によれば、引用発明は、検出回路２６で被写体の頭と画面の上端との間の距離ＨＶを検出し、検出回路２７で画面左端から被写体頭部の左端までの距離Ｌ及び頭部の幅ＨＷを検出し、この検出された顔の位置に基づいて、切出し画面上における画面上端から頭部までの距離ＶＬが予め設定された一定距離でかつ被写体が左右方向の略中央に位置する画像をメモリから読み出しているのであるから、引用発明も、本願補正発明と同様に、記憶手段が記憶する画像情報から頭頂部の位置を検出し、両側頭部の位置を検出して顔の位置を検出する検出手段と、この検出により検出された顔画像の位置に基づいて顔画像が中心に位置し、かつ顔画像の周辺を含むように読み出す領域を設定する設定手段と、この設定手段にて設定された読み出す領域内の画像情報を前記記憶手段から読み出す読出手段とを有しているといえる。
（ハ）もっとも、本願補正発明では、上記頭頂部の位置を「画像情報の横方向からの射影に基づき背景と頭頂部との境界の射影値の微分値にて」検出し、上記両側頭部の位置を「画像情報の縦方向の射影に基づき背景と両側頭部との境界の射影値の微分値にて」検出しているのに対し、引用発明では、カラー画像信号から背景色を認識することで検出している。
（ニ）引用例の前掲記載（ｃ）によれば、引用発明は、画面上端から被写体の頭部までの距離ＨＶが検出されると、予め設定された切出し画面上における画面上端から被写体の頭部までの距離ＶＬと、前記実際の撮像画面上での距離ＨＶとの偏差ＨＶ−ＶＬを演算して上下方向での読み出し開始位置データを得るとともに、切出し画面の設定サイズに基づいて、上下方向での読出し終了位置のデータを得ており、また、画面左端から被写体頭部の左端までの距離Ｌ及び頭部の幅ＨＷを検出し、横幅ＨＤの切り出し画面を得るため、撮影画面左端からＬ−（ＨＤ−ＨＷ）／２だけ右側にシフトした位置から読み出しを開始し、この開始位置から右方向に画素数ＨＤの点を読み出し終了位置としているのであるから、引用発明も、本願補正発明と同様に、検出手段から検出された頭頂部の位置から予め定められた一定値だけ上の位置に上部ラインを設定し、この設定された上部ラインから予め定められた一定値だけ下の位置に下部ラインを設定し、更に検出手段により検出された頭部の両側の位置にそれぞれ縦ラインを設定し、読出手段はこれら各ラインにて囲まれた範囲を読み出す領域として設定する設定手段を有しているといえる。
（ホ）もっとも、本願補正発明では、上記縦ラインを「検出手段により検出された両側頭部の位置から顔画像の横方向の中心を求め、この中心から予め定められた一定値だけ両側の位置に」設定しているのに対し、引用発明では、そのようには設定していない。
　
　以上の対比結果によれば、本願補正発明と引用発明とは、
「顔画像を含む画像を撮像する撮像手段と、この撮像手段により撮像した画像情報を記憶する記憶手段と、この記憶手段が記憶する画像情報から頭頂部の位置を検出し、両側頭部の位置を検出して顔画像の位置を検出する検出手段と、この検出により検出された顔画像の位置に基づいて顔画像が中心に位置し、かつ顔画像の周辺を含むように読み出す領域を設定する設定手段と、この設定手段にて設定された読み出す領域内の画像情報を前記記憶手段から読み出す読出手段とを有し、前記設定手段は、前記検出手段から検出された頭頂部の位置から予め定められた一定値だけ上の位置に上部ラインを設定し、この設定された上部ラインから予め定められた一定値だけ下の位置に下部ラインを設定し、更に前記検出手段により検出された頭部の両側の位置にそれぞれ縦ラインを設定し、前記読出手段はこれら各ラインにて囲まれた範囲を前記読み出す領域として設定することを特徴とする撮像装置。」である点で一致し、次の点で相違しているものと認められる。
　相違点（１）
　本願補正発明では、上記検出手段が、「画像情報の横方向からの射影に基づき背景と頭頂部との境界の射影値の微分値にて」頭頂部の位置を検出し、「画像情報の縦方向の射影に基づき背景と両側頭部との境界の射影値の微分値にて」両側頭部の位置を検出しているのに対し、引用発明では、画像情報の背景色を認識することで頭頂部、両側頭部の位置を検出している点。
　相違点（２）
　本願補正発明では、上記設定手段は、縦ラインを「検出手段により検出された両側頭部の位置から顔画像の横方向の中心を求め、この中心から予め定められた一定値だけ両側の位置に」それぞれ設定しているのに対し、引用発明では、そのように設定していない点。
　
（３）判断
　そこで以下、上記相違点について判断する。
　相違点（１）について
　撮像画像の横方向、縦方向の射影の微分値により顔の頭頂位置、左右端を検出することにより人物の顔領域の検出を行うことは、原査定の拒絶理由に引用された特開平７−２８２２２７号公報に記載されており、そうすると、引用発明において、画像情報の背景色を認識することで顔の頭頂部、両側頭部の位置を検出することに代えて、画像情報の横方向、縦方向の射影値の微分値により顔の頭頂部、両側頭部の位置を検出するようにすることは当業者が格別の創意工夫を要することなくなし得たことであると認められる。
　相違点（２）について
　引用発明では、横幅ＨＤの切出し画面上で被写体頭部が左右方向の略中央に位置する画像を切出すために、左端からＬ−（ＨＤ−ＨＷ）／２だけ右側にシフトした位置から読み出しを行わせ、かかる読み出し開始位置から右方向に画素数ＨＤの点を読み出し終了位置としており（引用例の前掲記載（ｃ））、すなわち、切出し画面上で被写体頭部が左右方向の略中央に位置する画像を切出すために、左端からＬ−（ＨＤ−ＨＷ）／２だけ右側にシフトした位置及び、かかる位置から右方向に画素数ＨＤの位置に切出しの縦ラインを設定しているところ、被写体を含む画像情報から、被写体が左右方向の中央に位置する画像領域を切出すにあたって、被写体の横方向の中心を求め、この中心から一定値だけ両側の位置に切出し位置を設定することは常套の手法と認められ、また、周知の事項である（必要なら特開平６−１１３２９５号公報等参照）。そうすると、引用発明において、切出し画面上で被写体頭部が左右方向の略中央に位置する画像を切出すための縦ラインを、両側頭部の位置から顔画像の横方向の中心を求め、この中心から予め定められた一定値だけ両側の位置に設定することは、当業者が適宜なし得たことであると認められる。
　以上判断したとおり、本願補正発明の上記相違点（１）、(２)に係る構成は、いずれも、当業者が容易に想到し得たといえるものであり、上記各相違点を総合しても想到困難な格別な事項は見いだせない。また、本願補正発明の効果についてみても、格別顕著なものがあるとは認められない。
　したがって、本願補正発明は、引用例及び周知の事項に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１４年５月２４日付の手続補正は上記のとおり却下されたので、本願の請求項１ないし４に係る発明は、平成１４年２月４日付けの手続補正書により補正された明細書の特許請求の範囲の請求項１ないし４に記載されたとおりのものであるところ、請求項１に係る発明（以下「本願発明」という。）は以下のとおりのものである。
「顔画像を含む画像を撮像する撮像手段と、
　この撮像手段により撮像した画像情報を記憶する記憶手段と、
　この記憶手段が記憶する画像情報から顔画像の位置を検出する検出手段と、
　この検出手段により検出された顔画像の位置に基づいて顔画像が中心に位置し、かつ顔画像の周辺を含むように領域を設定する設定手段と、
　この設定手段にて設定された領域内の画像情報を前記記憶手段から読み出す読出手段とを有し、
　前記検出手段は、画像情報の横方向の射影に基づき背景と頭頂部との境界の射影値の微分値にて頭頂部の位置を検出し、画像情報の縦方向の射影に基づき背景と両側頭部との境界の射影値の微分値にて両側頭部の位置を検出し、
　前記設定手段は、検出された頭頂部の位置から一定値上の位置に上部ラインを設定し、この設定された上部ラインから一定値下の位置に下部ラインを設定し、両側頭部の位置から顔画像の中心を求め、この中心から一定値両側に縦ラインを設定し、これら各ラインにて囲まれた範囲を前記領域として設定することを特徴とする撮像装置。」
　
（１）引用例
　原査定の拒絶の理由に引用された引用例及びその記載事項は、前記「２．（１）」に記載したとおりである。
　
（２）対比・判断
　本願発明は、前記２．で検討した本願補正発明から「領域」の限定事項である「読み出す」との構成、「一定値」の限定事項である「予め定められた」との構成、「両側頭部の位置」の限定事項である「検出手段により検出された」との構成、「中心」の限定事項である「横方向の」との構成を省いたものである
　そうすると、本願発明の構成要件をすべて含み、さらに他の構成要件を付加したものに相当する本願補正発明が、前記「２．（３）」に記載したとおり、引用例及び周知の事項に基づいて、当業者が容易に発明をすることができたものであるから、本願発明も、同様の理由により、引用例及び周知の事項に基づいて、当業者が容易に発明をすることができたものである。
　
（３）むすび
　以上のとおり、本願の請求項１に係る発明は、引用例及び周知の事項に基づいて当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。